(57)【要約】      （修正有）【課題】開位置で内部的に開閉部材を止めることができる新しい開閉装置及び開閉装置を備えた音の出る絵本を提供する。【解決手段】開閉装置はヒンジ及び開閉規制手段を含んで構成されている。ケース体の円筒部４０ａには軸５１ａがＡ部でねじによって固定されている。この軸５１ａは、ケース体の円筒部４０ｂ内にまで延出している。また、ケース体の円筒部４０ｂには筒軸５１ｂがＢ部でねじによって固定されている。この筒軸５１ｂは、ケース体の円筒部４０ａ内まで延び、軸５１ａに外嵌されている。ケース体の円筒部４０ｃには筒軸５２ａがＣ部でねじによって固定されている。この筒軸５２ａは、円筒部４０ｃのみならずケース体の円筒部４０ａ内にまで延出している。そして、この筒軸５２ａの延出部分には、当接部及び摺接部が設けられている。【選択図】図６
0003226273.tif 000002
【実用新案登録請求の範囲】
【請求項１】
第１軸を中心に回転して開閉可能となるようにヒンジによって結合されるとともに、基端側に円筒部が付設され、所定の開位置及び閉位置を選択的に取り得る２つの開閉部材を備え、
前記２つの開閉部材の円筒部は、ヒンジ結合部分を覆う筒状のカバー体を構成し、
前記カバー体の内部には、
前記２つの開閉部材のうちの一方の開閉部材に固定された第１摺接部と、他方の開閉部材に固定され前記第１摺接部に摺接可能な第２摺接部とが設けられ、
前記第１摺接部と前記第２摺接部とは前記開位置と前記閉位置との間の一部で摺接して前記２つの開閉部材の相対運動を制動する、
ことを特徴とする開閉装置。
【請求項２】
前記カバー体の内部には、
前記２つの開閉部材のうちの一方の開閉部材に固定された第１当接部と、他方の開閉部材に固定され前記第１摺接部に摺接可能な第２当接部とが設けられ、
前記第１当接部と前記第２当接部とは、前記開位置で互いに当接して前記２つの開閉部材がそれ以上開くのを阻止することを特徴とする請求項１に記載の開閉装置。
【請求項３】
前記第１摺接部と前記第２摺接部とは、前記閉位置の近くで互いに摺接することで前記２つの開閉部材の相対運動を制動することを特徴とする請求項２に記載の開閉装置。
【請求項４】
前記第１当接部及び前記第１摺接部は、前記第１軸又は当該第１軸と中心線を同じくする第２軸に付設されていることを特徴とする請求項２又は請求項３に記載の開閉装置。
【請求項５】
前記第２当接部及び前記第２摺接部は、前記第１当接部及び前記第１摺接部が付設された軸を取り巻くように配設された輪状体に形成されていることを特徴とする請求項２〜請求項４のいずれか一項に記載の開閉装置。
【請求項６】
前記２つの開閉部材の背に相当する部分は、前記開位置で指を挟まない程度に所定距離離間していることを特徴とする請求項２〜請求項５のいずれか一項に記載の開閉装置。
【請求項７】
請求項１〜請求項６のいずれか一項に記載の開閉装置を備え、前記開位置では、前記２つの開閉部材が１８０度開き、前記２つの開閉部材の各々はプラスチック製の平箱で形成され、前記平箱の内部には各種の機能部品が収納され、前記２つの開閉部材の内面には絵柄が表示され、音出しにより読み聞かせるように構成されていることを特徴とする音の出る絵本。
【考案の詳細な説明】
【技術分野】
【０００１】
本考案は、開閉装置及び音の出る絵本に関する。
【背景技術】
【０００２】
従来、２つの開閉部材をヒンジによって結合して開閉させるようにした開閉装置が知られている（例えば、特許文献１参照）。
この開閉装置では、２つの開閉部材を開閉する際に開閉部材の運動を制動し、２つの開閉部材が衝接するのを防止している。
【先行技術文献】
【特許文献】
【０００３】
【特許文献１】実開平４−１２５３８４号公報
【考案の概要】
【考案が解決しようとする課題】
【０００４】
この開閉装置によれば、軸体の最大径部分と軸嵌合部材の最小径部分とが同じ回転角度になるときに、軸体又は軸嵌合部材の弾性変形が大きく生じ、抵抗トルクが大きくなる。また、最大径部分と最小径部分とが離れると抵抗トルクが小さくなる。いずれにしても、開閉する際に軸体と軸嵌合部材とを常時に摺接していることには変わりがないため、その分、操作性が悪くなっていた。
本考案は、かかる問題点に鑑みなされたものであり、安全性と操作性とを調和させた新規な開閉装置及び音の出る絵本を提供することを目的としている。
【課題を解決するための手段】
【０００５】
第１の手段は、
第１軸を中心に回転して開閉可能となるようにヒンジによって結合されるとともに、基端側に円筒部が付設され、所定の開位置及び閉位置を選択的に取り得る２つの開閉部材を備え、
前記２つの開閉部材の円筒部は、ヒンジ結合部分を覆う筒状のカバー体を構成し、
前記カバー体の内部には、
前記２つの開閉部材のうちの一方の開閉部材に固定された第１摺接部と、他方の開閉部材に固定され前記第１摺接部に摺接可能な第２摺接部とが設けられ、
前記第１摺接部と前記第２摺接部とは前記開位置と前記閉位置との間の一部で摺接して前記２つの開閉部材の相対運動を制動する、
ことを特徴とする開閉装置である。
【０００６】
第２の手段は、第１の手段であって、
前記カバー体の内部には、
前記２つの開閉部材のうちの一方の開閉部材に固定された第１当接部と、他方の開閉部材に固定され前記第１摺接部に摺接可能な第２当接部とが設けられ、
前記第１当接部と前記第２当接部とは、前記開位置で互いに当接して前記２つの開閉部材がそれ以上開くのを阻止することを特徴とする。
【０００７】
第３の手段は、第２の手段であって、前記第１摺接部と前記第２摺接部とは、前記閉位置の近くで互いに摺接することで前記２つの開閉部材の相対運動を制動することを特徴とする。
【０００８】
第４の手段は、第２の手段又は第３の手段であって、前記第１当接部及び前記第１摺接部は、前記第１軸又は当該第１軸と中心線を同じくする第２軸に付設されていることを特徴とする。
【０００９】
第５の手段は、第２の手段〜第４の手段のいずれかであって、前記第２当接部及び前記第２摺接部は、前記第１当接部及び前記第１摺接部が付設された軸を取り巻くように配設された輪状体に形成されていることを特徴とする。
【００１０】
第６の手段は、第２の手段〜第５の手段のいずれかであって、前記２つの開閉部材の背に相当する部分は、前記開位置で指を挟まない程度に所定距離離間していることを特徴とする。
【００１１】
第７の手段は、第１の手段〜第６の手段のいずれかの開閉装置を備え、前記開位置では、前記２つの開閉部材が１８０度開き、前記２つの開閉部材の各々はプラスチック製の平箱で形成され、前記平箱の内部には各種の機能部品が収納され、前記２つの開閉部材の内面には絵柄が表示され、音出しにより読み聞かせるように構成されていることを特徴とする音の出る絵本である。
【考案の効果】
【００１２】
第１の手段によれば、第１摺接部と第２摺接部とが開位置と閉位置との間の一部で摺接して２つの開閉部材の相対運動を制動するので、勢いよく開閉するのが防止される一方で、当該一部以外の部分では円滑に開閉できることとなるので、安全性と操作性とを調和させることができる。
【００１３】
第２の手段によれば、カバー体の内部に設けた第１当接部と第２当接部とが、開位置で互いに当接しそれ以上開くのを阻止するので、開き過ぎによる不都合を解消することができる。また、カバー体の内部に第１当接部と第２当接部とが設けられているため、見栄えを害することもない。
【００１４】
第３の手段によれば、第１摺接部と第２摺接部とが、閉位置の近くで互いに摺接することで２つの開閉部材の相対運動を制動するので、２つの開閉部材によって指が強く挟まれたりすることが防止される。
【００１５】
第４の手段によれば、第１当接部及び第１摺接部は、第１軸又は当該第１軸と中心線を同じくする第２軸に付設されているので、簡素な開閉装置が実現できる。
【００１６】
第５の手段によれば、第２当接部及び第２摺接部は、第１当接部及び第１摺接部が付設された軸を取り巻くように配設された輪状体に形成されているので、第１当接部と第１摺接部とを別個に設ける場合に比べて、その取付けが容易となる。
【００１７】
第６の手段によれば、２つの開閉部材の背に相当する部分は、開位置で所定距離離れているので、指挟みが防止されることになる。
【００１８】
第７の手段によれば、２つの開閉部材が１８０度開いたところで、第１当接部と第２当接部とが当接し、それ以上の開きが防止され、指挟みを効果的に防止できる絵本が実現できる。
【図面の簡単な説明】
【００１９】
【図１】閉じた状態の実施形態に係る音の出る絵本を表側から見た斜視図である。
【図２】閉じた状態の音の出る絵本を裏側から見た斜視図である。
【図３】表表紙を捲った状態の音の出る絵本の斜視図である。
【図４】開いた状態で中頁を捲ったときの音の出る絵本の斜視図である。
【図５】開いた状態の音の出る絵本の底面図である。
【図６】音の出る絵本の開閉装置の構造を示した図である。
【図７】音の出る絵本の開閉装置の構造を示した斜視図である。
【図８】開閉装置の開閉規制手段の斜視図である。
【図９】開閉規制手段の働きを説明するための図である。
【考案を実施するための形態】
【００２０】
以下、本考案の実施形態について説明する。
図１は、閉じた状態の音の出る絵本（以下、単に「絵本」と言う。）１００を表側から見た斜視図、図２は、閉じた状態の絵本１００を裏側から見た斜視図、図３は、表表紙を捲った状態の音の出る絵本の斜視図、図４は、開いた状態で中頁を捲ったときの音の出る絵本の斜視図である。
【００２１】
この音の出る絵本（以下、単に「絵本」と言う。）１００は、表表紙１及び裏表紙２がそれぞれ平箱状のプラスチック製のケース体１０，２０によって構成され、中頁３がプラスチック製の平板３０によって構成されている。
【００２２】
表表紙１の外面には、図1に示すように、物語のタイトルや物語に関連する絵柄が表示されている。また、表表紙１の表面には、立体的な動物キャラクタ１１の尻や足等１１ａが少し突出した形で設けられているとともに、スライド摘み１２ａが設けられている。そして、スライド摘み１２ａを操作すると、窓１２ｂから露出するプレート１２が動いて絵柄が変化し、絵本１００からタイトル名等の所定の音声が出力される。
表表紙１の内面には物語のワンシーンを表す絵柄が表示されている。この表表紙１には、図３に示すように、立体的な動物キャラクタ１１の顔や手等１１ｂが少し突出した形で設けられているとともに、プレート１３と、球状の２つの回転体１４，１５と、スライド摘み１６ａとが設けられている。プレート１３は手で左右に動かすことができ、動かしたときに絵柄が変化する。その際に、絵本１００は変化後の絵柄に関連した所定の音声を出力する。２つの回転体１４，１５は、表表紙１の紙面と平行な軸を中心にその場で回転操作可能となっている。また、スライド摘み１６ａを操作すると、窓１７から露出するプレート１６が動いて絵柄が変化するとともに、絵本１００から変化後の絵柄に関連した所定の音声が出力される。
【００２３】
中頁３には、図３及び図４に示すように、表裏に物語のワンシーンを示す互いに異なる絵柄が表示されている。また、中頁３には、色々な形状の窓３１ａ，３１ｂ，３１ｃ，３１ｄ，３１ｅが形成され、窓３１ａ，３１ｂ，３１ｃ，３１ｄ，３１ｅを通して、中頁３に重ねた表表紙１又は裏表紙２の内面の絵柄等を見通すことができる。
【００２４】
裏表紙２の内面には、図４に示すように、物語のワンシーンを示す絵柄が表示されている。また、裏表紙２の内面には、スライド摘み２１ａ，２２ａ，２３ａが設けられている。スライド摘み２１ａ，２２ａ，２３ａを操作すると、対応する窓２１ｂ，２２ｂ，２３ｂから露出するプレート２１，２２，２３が動いて絵柄が変化するとともに、絵本１００から変化後の絵柄に関連した所定の音声が出力される。また、裏表紙２の内面には、楽器を模した立体的な絵柄２４ａ，２４ｂ，２４ｃが設けられている。絵柄２４ａは太鼓、絵柄２４ｂはピアノ、絵柄２４ｃはトランペットである。この絵柄２４ａ，２４ｂ，２４ｃを押すと、絵柄に応じた楽器による音楽が出力される。
また、裏表紙２の外面には、図２に示すように、電池収容部を塞ぐ電池蓋２５ａと、電源スイッチ２５ｂが設けられている。電源スイッチ２５ｂが投入されると読み聞かせが開始される。
【００２５】
図５は、開いた状態の絵本１００の底面図である。
ケース体１０は、凹部が形成された本体１０ａと、蓋１０ｂとから構成されている。そして、ケース体１０には図１に示すような円筒部４０ａが付設されている。円筒部４０ａは、半割され、本体１０ａに固定された半円筒部と、蓋１０ｂに固定された半円筒部とから構成されている。そして、本体１０ａと蓋１０ｂとは、ねじによって互いに結合され、円筒部４０ａ付のケース体１０として構成されている。このケース体１０の中には、各種機能部品等が収納されている。したがって、ある程度の重量を有している。
また、ケース体２０は、凹部が形成された本体２０ａと、蓋２０ｂとから構成されている。そして、ケース体２０には図１に示すような円筒部４０ｂ，４０ｃが付設されている。円筒部４０ｂ，４０ｃは、それぞれが半割され、本体２０ａに固定された半円筒部と、蓋２０ｂに固定された半円筒部とから構成されている。そして、本体２０ａと蓋２０ｂとは、ねじによって互いに結合され、円筒部４０ｂ，４０ｃ付のケース体２０として構成されている。このケース体２０の中には、各種機能部品や電池等が収納されている。したがって、ある程度の重量を有している。
【００２６】
平板３０の基端部には半球状のカップ（指示せず）が２つ形成されている。一方、上記円筒部４０ａ，４０ｂ，４０ｃとともに円筒状のカバー体４０を構成する２つのリング４０ｄ，４０ｅには平板３０のカップに篏合可能なボール４００，４０１が付設されている（図６）。そして、カップにボール４００，４０１を篏合させることによって平板３０はリング４０ｄ，４０ｅに取り付けられている。２つのリング４０ｄ，４０ｅのいずれかには図示はしないが、中頁３を捲った際にそれを検知する検知手段が設けられている。そして、中頁３が捲られたときには、現れた頁に対応した読み聞かせ等をするように構成されている。
【００２７】
図６は、絵本１００の開閉装置５０の構造を示した図、図７は、開閉装置の構造を示した斜視図である。
開閉装置５０はヒンジ５１及び開閉規制手段５２を含んで構成されている。
【００２８】
まず、ヒンジ５１の構造について説明する。
ケース体１０の円筒部４０ａには軸５１ａがＡ部でねじによって固定されている。この軸５１ａは、円筒部４０ａのみならずケース体２０の円筒部４０ｂ内にまで延出している。また、ケース体２０の円筒部４０ｂには筒軸５１ｂがＢ部でねじによって固定されている。この筒軸５１ｂは、円筒部４０ｂのみならずケース体１０の円筒部４０ａ内まで延び、軸５１ａに外嵌されている。
【００２９】
リング４０ｄは、ケース体１０の円筒部４０ａとケース体２０の円筒部４０ｂとの間に介装され、筒軸５１ｂに外嵌されている。また、リング４０ｅは、ケース体１０の円筒部４０ａとケース体２０の円筒部４０ｃとの間に介装され、後述の筒軸５２ａに外嵌されている。そして、リング４０ｄ，４０ｅの外周は円筒部４０ａ，４０ｂ，４０ｃの外周と面一となっている。
【００３０】
図８は、開閉規制手段５２の構造の斜視図である。
ケース体２０の円筒部４０ｃには筒軸５２ａがＣ部でねじによって固定されている。この筒軸５２ａは、円筒部４０ｃのみならずケース体１０の円筒部４０ａ内にまで延出している。そして、この筒軸５２ａの延出部分には、当接部（第１当接部）５３ａ及び摺接部（第１摺接部）５３ｂが設けられている。すなわち、筒軸５２ａには同形の３枚の突起５３が設けられており、この突起５３に当接部５３ａ及び摺接部５３ｂが形成されている。突起５３は、回転方向一端の辺が半径方向外方に延び、他側の辺が四半円弧状に形成されている。
一方、ケース体１０の円筒部４０ａには、筒軸５２ａを取り囲むように輪状体５４が設けられており、この輪状体５４には当接部５４ａ（第２当接部）及び摺接部（第２摺接部）５４ｂが形成されている。輪状体５４には外方に向けて張り出す差込み片５４ｃが形成されている。輪状体５４は、この差込み片５４ｃをケース体１０の差込み孔１０ｃに差し込み輪状体５４の外周の一部を円筒部４０ａに当接させることにより、ケース体１０に固定される。
そして、ケース体１０とケース体２０とが１８０度開いた開位置にあるとき、当接部５３ａと当接部５４ａが当接し（図９（Ａ））、ケース体１０とケース体２０とが閉位置近くにあるとき摺接部５３ｂと摺接部５４ｂとが当接する（図９（Ｂ））。このときには、表表紙１の背と裏表紙２の背とが指が挟まれない程度に所定距離離れる。なお、当接部５４ａと摺接部５４ｂとは離れており、開位置から所定角度までは摺接部５３ｂと摺接部５４ｂとが摺接せず、抵抗少なく頁が捲れるようにしておくことが好ましい。
【００３１】
なお、カバー体４０内には、表表紙１や中頁３を捲った際にそれを検知する図示しない検知手段が設けられている。そして、表表紙１や中頁３が捲られたときには、現れた頁に対応した読み聞かせ等をするように構成されている。
【００３２】
（効果）
この絵本１００が奏する主たる効果を説明すれば、次の通りである。
すなわち、表表紙１を裏表紙２に対して捲り表表紙１と裏表紙２とが１８０度開かれると、当接部５３ａと当接部５４ａとが当接してそれ以上絵本１００が開かれるのが阻止される。そして、このとき、表表紙１の背と裏表紙２の背とが所定距離離れるので、指が挟まれるのが防止される。
また、表表紙１を裏表紙２に対して閉じると途中で摺接部５３ｂと摺接部５４ｂとが摺接してブレーキがかかるので指が強く挟まれるのを防止することができる。
【００３３】
（変形例）
以上、本考案の実施形態について説明したが、本考案は、上記実施形態に限定されものではなく、その要旨を逸脱しない範囲で、種々変形可能であることは言うまでない。
例えば、上記実施形態では、ヒンジ５１の軸５１ａが固定されるケース体１０側に第２摺接部５４ｂを固定し、ヒンジ５１の筒軸５１ｂが固定されるケース体２０側に摺接部５３ｂを固定したが、ヒンジ５１の軸５１ａが固定されるケース体１０側に摺接部５３ｂを固定し、ヒンジ５１の筒軸５１ｂが固定されるケース体２０側に摺接部５４ｂを固定するようにしてもよい。
また、ヒンジ５１の軸５１ａに当接部５３ａ及び摺接部５３ｂを設けてもよい。
【００３４】
また、上記実施形態では、絵本１００を例に説明したが、２つの開閉部材を持つ開閉装置及び当該開閉装置を組み込んだ玩具や機器に利用することができる。
【００３５】
また、突起５３と輪状体５４との間に開閉を一時的に停止させるようなクリック機構を設けてもよい。
【符号の説明】
【００３６】
１    表表紙
２    裏表紙
３    中頁
１０，２０    ケース体
４０ａ，４０ｂ，４０ｃ    円筒部
４０ｄ，４０ｅ    リング
５０    開閉装置
５１    ヒンジ
５１ａ    軸
５１ｂ    筒軸
５２    開閉規制手段
５２ａ    筒軸
５３ａ    当接部（第１当接部）
５３ｂ    摺接部（第１摺接部）
５４    輪状体
５４ｂ    摺接部（第２摺接部）
１００    絵本
【図１】
0003226273.tif 000003
【図２】
0003226273.tif 000004
【図３】
0003226273.tif 000005
【図４】
0003226273.tif 000006
【図５】
0003226273.tif 000007
【図６】
0003226273.tif 000008
【図７】
0003226273.tif 000009
【図８】
0003226273.tif 000010
【図９】
0003226273.tif 000011